(57)【要約】      （修正有）【課題】複数の電源を生成する場合において、回路の規模と製造コストを削減する。【解決手段】コンデンサ２１は、電源３１を用いて電荷を蓄積する。スイッチ４３は、コンデンサ２１の他方の端子とレギュレータ６１を接続する。スイッチ９３は、コンデンサ２１の他方の端子とレギュレータ６２を接続する。制御部９２は、スイッチ４１および９３を制御する。制御部９２は、スイッチ４３に接続を行わせている間、スイッチ９３に接続を停止させ、スイッチ９３に接続を行わせている間、スイッチ４３に接続を停止させる。本発明は、例えば昇圧回路に適用することができる。【選択図】図２
2008113518.tif 000002
【特許請求の範囲】
【請求項１】
第１の入力電源を用いて電荷を蓄積する第１のコンデンサと、
第２の入力電源の電圧と前記第１のコンデンサに蓄積された電荷による電圧とを用いて、第１の出力電源を生成する第１の生成手段と、
前記第２の入力電源の電圧と前記第１のコンデンサに蓄積された電荷による電圧とを用いて、第２の出力電源を生成する第２の生成手段と、
前記第１のコンデンサの一方の端子と、前記第２の入力電源または所定の電位を接続する第１の接続手段と、
前記第１のコンデンサの他方の端子と、前記第１の入力電源を接続する第２の接続手段と、
前記第１のコンデンサの他方の端子と、前記第１の生成手段を接続する第３の接続手段と、
前記第１のコンデンサの他方の端子と、前記第２の生成手段を接続する第４の接続手段と、
前記第１の接続手段乃至第４の接続手段を制御する制御手段と
を備え、
前記制御手段は、前記第１の接続手段に前記第１のコンデンサの一方の端子と前記所定の電位の接続を行わせている間、前記第２の接続手段に接続を行わせ、前記第１の接続手段に前記第１のコンデンサの一方の端子と前記第２の入力電源の接続を行わせ、前記第２の接続手段に接続を停止させ、かつ、前記第３の接続手段に接続を行わせている間、前記第４の接続手段に接続を停止させ、前記第１の接続手段に前記第１のコンデンサの一方の端子と前記第２の入力電源の接続を行わせ、前記第２の接続手段に接続を停止させ、かつ、前記第４の接続手段に接続を行わせている間、前記第３の接続手段に接続を停止させる
電源装置。
【請求項２】
前記制御手段は、前記第１の接続手段に前記第１のコンデンサの一方の端子と前記第２の入力電源の接続を行わせ、かつ、前記第２の接続手段に接続を停止させている間に、前記第３の接続手段と前記第４の接続手段のいずれか一方に接続を行わせる
請求項１に記載の電源装置。
【請求項３】
前記制御手段は、前記第１の接続手段に前記第１のコンデンサの一方の端子と前記第２の入力電源の接続を行わせ、かつ、前記第２の接続手段に接続を停止させている間に、前記第３の接続手段と前記第４の接続手段の両方に接続を行わせる
請求項１に記載の電源装置。
【請求項４】
前記第１のコンデンサに蓄積された電荷による電圧を検出する検出手段
をさらに備え、
前記制御手段は、検出された前記電圧が基準値以上である場合、前記第３の接続手段と前記第４の接続手段に接続を停止させる
請求項１に記載の電源装置。
【請求項５】
前記第１の生成手段により生成された第１の出力電源の電圧を検出する第１の検出手段と、
前記第２の生成手段により生成された第２の出力電源の電圧を検出する第２の検出手段と
をさらに備え、
前記制御手段は、検出された第１の出力電源の電圧が第１の基準値以上である場合、前記３の接続手段に接続を停止させ、検出された第２の出力電源の電圧が第２の基準値以上である場合、前記第４の接続手段に接続を停止させる
請求項１に記載の電源装置。
【請求項６】
前記第１の生成手段は、第２のコンデンサにより構成され、
前記第２の生成手段は、第３のコンデンサにより構成され、
前記第２のコンデンサは、前記第２の入力電源の電圧と前記第１のコンデンサに蓄積された電荷による電圧とを用いて、電荷を蓄積することにより前記第１の出力電源を生成し、
前記第３のコンデンサは、前記第２の入力電源の電圧と前記第１のコンデンサに蓄積された電荷による電圧とを用いて、電荷を蓄積することにより前記第２の出力電源を生成する
請求項５に記載の電源装置。
【発明の詳細な説明】
【技術分野】
【０００１】
本発明は、電源装置に関し、特に、複数の電源を生成する場合において、回路の規模と製造コストを削減することができるようにした電源装置に関する。
【背景技術】
【０００２】
従来、複数の電源を生成する回路としては、変圧器(例えば、特許文献１参照)、昇圧回路、降圧回路などがある。
【０００３】
図１は、従来の昇圧回路１０の構成を示す図である。
【０００４】
図１の昇圧回路１０は、IC（Integrated Circuit）（半導体集積回路）１１と、コンデンサ２１乃至２７から構成される。また、IC１１は、電源３１乃至３３、スイッチ４１乃至４７、端子５１乃至６０、レギュレータ６１および６２、並びに制御部７１により構成される。
【０００５】
昇圧回路１０は、電圧がVDDである電源３１乃至３３から、電圧が2VDD以上3VDD以下(例えば、2.5VDD)である出力電源と、電圧がVDD以上2VDD以下(例えば、1.5VDD)である出力電源を生成する。
【０００６】
IC１１の電源３１は、スイッチ４１と４２に接続される。スイッチ４１には、端子５１を介して外部のコンデンサ２１の一端が接続され、スイッチ４１は、コンデンサ２１の一端を端子５１を介して電源３１に接続するかまたは接地する（0Vの電位に接続する）。
【０００７】
コンデンサ２１の他端は端子５２を介してスイッチ４２と４３に接続される。スイッチ４２は、コンデンサ２１の他端を、端子５２を介して電源３１に接続する。スイッチ４３は、コンデンサ２１の他端を、端子５２を介してスイッチ４４と端子５３に接続する。スイッチ４４は、コンデンサ２１の他端をスイッチ４３を介して接地する。端子５３は、コンデンサ２２の一端に接続する。
【０００８】
コンデンサ２２の他端は端子５４を介してスイッチ４５に接続する。スイッチ４５は、端子５４を電源３２またはレギュレータ６１の入力端子に接続する。レギュレータ６１の入力端子には、端子５５を介して外部のコンデンサ２３の一端が接続され、コンデンサ２３の他端は接地されている。レギュレータ６１の出力端子には、端子５６を介して外部のコンデンサ２４の一端が接続され、コンデンサ２４の他端は接地されている。
【０００９】
次に、スイッチ４１乃至４５の動作について説明する。なお、スイッチ４１乃至４５の動作は、制御部７１により制御される。
【００１０】
まず最初に、スイッチ４１は、コンデンサ２１の一端を端子５１を介して接地し、スイッチ４２は、コンデンサ２１の他端を端子５２を介して電源３１に接続する。これにより、コンデンサ２１には電源３１を用いて電荷が蓄積される。また、このとき、スイッチ４３は、スイッチ４４と端子５３に接続せず、スイッチ４４は、コンデンサ２２の一端を端子５３を介して接地し、スイッチ４５は、コンデンサ２２の他端を端子５４を介して電源３２に接続する。これにより、コンデンサ２２には、電源３２を用いて電荷が蓄積される。
【００１１】
その後、スイッチ４１は、コンデンサ２１の一端を、端子５１を介して電源３１に接続し、スイッチ４２は、コンデンサ２１の他端を、端子５２を介して電源３１に接続せず、スイッチ４３は、コンデンサ２１の他端を、端子５２と５３を介してコンデンサ２２の一端に接続する。また、このとき、スイッチ４５は、コンデンサ２２の他端を、端子５４を介して端子５５とレギュレータ６１の入力端子とに接続する。
【００１２】
これにより、レギュレータ６１の入力端子と端子５５の電圧は、電源３１の電圧VDD、コンデンサ２１に蓄積された電荷による電圧VDD、およびコンデンサ２２に蓄積された電荷による電圧VDDを加算した電圧3VDDとなる。また、コンデンサ２３には、この電圧3VDDを用いて電荷が蓄積される。レギュレータ６１は、入力端子の電圧3VDDを用いて、電圧がVO1である出力電源を生成し、出力端子から端子５６を介して出力する。なお、コンデンサ２４は、レギュレータ６１の安定化のために設けられるものであり、コンデンサ２４には、電圧VO1を用いて電荷が蓄積される。
【００１３】
一方、IC１１の電源３３は、スイッチ４６と４７に接続される。スイッチ４６には、端子５７を介して外部のコンデンサ２５の一端が接続され、スイッチ４６は、コンデンサ２５の一端を、端子５７を介して電源３３に接続するかまたは接地する。
【００１４】
コンデンサ２５の他端は端子５８を介してスイッチ４７に接続される。スイッチ４７は、コンデンサ２５の他端を、端子５８を介して電源３１またはレギュレータ６２の入力端子に接続する。レギュレータ６１の入力端子には、端子５９を介して外部のコンデンサ２６の一端が接続され、コンデンサ２６の他端は接地されている。レギュレータ６２の出力端子には、端子６０を介して外部のコンデンサ２７の一端が接続され、コンデンサ２７の他端は接地されている。
【００１５】
次に、スイッチ４６と４７の動作について説明する。なお、スイッチ４６と４７の動作は、制御部７１により制御される。
【００１６】
まず最初に、スイッチ４６は、コンデンサ２５の一端を端子５７を介して接地し、スイッチ４７は、コンデンサ２５の他端を端子５８を介して電源３３に接続する。これにより、コンデンサ２５には電源３３の電圧VDDを用いて電荷が蓄積される。その後、スイッチ４６は、コンデンサ２５の一端を端子５７を介して電源３３に接続し、スイッチ４７は、コンデンサ２５の他端を端子５８を介して、レギュレータ６２の入力端子に接続する。
【００１７】
これにより、レギュレータ６２の入力端子と、その入力端子に接続される端子５９の電圧は、電源３１の電圧VDDと、コンデンサ２５に蓄積された電荷による電圧VDDとを加算した電圧2VDDとなる。また、コンデンサ２６には、この電圧2VDDを用いて電荷が蓄積される。レギュレータ６２は、入力端子の電圧2VDDを用いて、電圧がVO2である出力電源を生成し、出力端子から端子６０を介して出力する。なお、コンデンサ２７は、レギュレータ６２の安定化のために設けられるものであり、コンデンサ２７には、電圧VO2を用いて電荷が蓄積される。
【００１８】
以上のように、昇圧回路１０では、電圧がVO1とVO2である２つの出力電源を生成することができる。また、昇圧回路１０には、レギュレータ６１と６２が設けられているので、端子５５と５９の電圧をそのまま出力電源の電圧として出力電源を出力する場合に比べて、２つの出力電源のリップルを抑制することができる。
【特許文献１】特開平１１−８９２３０号公報
【発明の開示】
【発明が解決しようとする課題】
【００１９】
しかしながら、上述した昇圧回路１０では、電圧がVO1である出力電源を生成する回路と、電圧がVO2である出力電源を生成する回路が別々に設けられているので、IC１１に設けられる端子の数が多く、IC１１の規模が大きい。また、IC１１の外部に設けられるコンデンサの数が多く、昇圧回路１０の部品点数が多い。従って、昇圧回路１０の規模と製造コストが大きかった。
【００２０】
本発明は、このような状況に鑑みてなされたものであり複数の電源を生成する場合において、回路の規模と製造コストを削減することができるようにするものである。
【課題を解決するための手段】
【００２１】
本発明の一側面の電源装置は、第１の入力電源を用いて電荷を蓄積する第１のコンデンサと、第２の入力電源の電圧と前記第１のコンデンサに蓄積された電荷による電圧とを用いて、第１の出力電源を生成する第１の生成手段と、前記第２の入力電源の電圧と前記第１のコンデンサに蓄積された電荷による電圧とを用いて、第２の出力電源を生成する第２の生成手段と、前記第１のコンデンサの一方の端子と、前記第２の入力電源または所定の電位を接続する第１の接続手段と、前記第１のコンデンサの他方の端子と、前記第１の入力電源を接続する第２の接続手段と、前記第１のコンデンサの他方の端子と、前記第１の生成手段を接続する第３の接続手段と、前記第１のコンデンサの他方の端子と、前記第２の生成手段を接続する第４の接続手段と、前記第１の接続手段乃至第４の接続手段を制御する制御手段とを備え、前記制御手段は、前記第１の接続手段に前記第１のコンデンサの一方の端子と前記所定の電位の接続を行わせている間、前記第２の接続手段に接続を行わせ、前記第１の接続手段に前記第１のコンデンサの一方の端子と前記第２の入力電源の接続を行わせ、前記第２の接続手段に接続を停止させ、かつ、前記第３の接続手段に接続を行わせている間、前記第４の接続手段に接続を停止させ、前記第１の接続手段に前記第１のコンデンサの一方の端子と前記第２の入力電源の接続を行わせ、前記第２の接続手段に接続を停止させ、かつ、前記第４の接続手段に接続を行わせている間、前記第３の接続手段に接続を停止させる。
【００２２】
本発明の一側面の電源装置では、前記制御手段は、前記第１の接続手段に前記第１のコンデンサの一方の端子と前記第２の入力電源の接続を行わせ、かつ、前記第２の接続手段に接続を停止させている間に、前記第３の接続手段と前記第４の接続手段のいずれか一方に接続を行わせることができる。
【００２３】
本発明の一側面の電源装置では、前記制御手段は、前記第１の接続手段に前記第１のコンデンサの一方の端子と前記第２の入力電源の接続を行わせ、かつ、前記第２の接続手段に接続を停止させている間に、前記第３の接続手段と前記第４の接続手段の両方に接続を行わせることができる。
【００２４】
本発明の一側面の電源装置は、前記第１のコンデンサに蓄積された電荷による電圧を検出する検出手段をさらに設け、前記制御手段は、検出された前記電圧が基準値以上である場合、前記第３の接続手段と前記第４の接続手段に接続を停止させることができる。
【００２５】
本発明の一側面の電源装置は、前記第１の生成手段により生成された第１の出力電源の電圧を検出する第１の検出手段と、前記第２の生成手段により生成された第２の出力電源の電圧を検出する第２の検出手段とをさらに設け、前記制御手段は、検出された第１の出力電源の電圧が第１の基準値以上である場合、前記３の接続手段に接続を停止させ、検出された第２の出力電源の電圧が第２の基準値以上である場合、前記第４の接続手段に接続を停止させることができる。
【００２６】
本発明の一側面の電源装置では、前記第１の生成手段は、第２のコンデンサにより構成され、前記第２の生成手段は、第３のコンデンサにより構成され、前記第２のコンデンサは、前記第２の入力電源の電圧と前記第１のコンデンサに蓄積された電荷による電圧とを用いて、電荷を蓄積することにより前記第１の出力電源を生成し、前記第３のコンデンサは、前記第２の入力電源の電圧と前記第１のコンデンサに蓄積された電荷による電圧とを用いて、電荷を蓄積することにより前記第２の出力電源を生成することができる。
【００２７】
本発明の一側面においては、コンデンサが第１の入力電源を用いて電荷を蓄積し、第１の生成手段が、第２の入力電源の電圧と前記第１のコンデンサに蓄積された電荷による電圧とを用いて、第１の出力電源を生成し、第２の生成手段が、前記第２の入力電源の電圧と前記第１のコンデンサに蓄積された電荷による電圧とを用いて、第２の出力電源を生成し、第１の接続手段が、前記第１のコンデンサの一方の端子と、前記第２の入力電源または所定の電位を接続し、第２の接続手段が、前記第１のコンデンサの他方の端子と、前記第１の入力電源を接続し、第３の接続手段が、前記第１のコンデンサの他方の端子と、前記第１の生成手段を接続し、第４の接続手段が、前記第１のコンデンサの他方の端子と、前記第２の生成手段を接続する。
【００２８】
また、制御手段は、前記第１の接続手段に前記第１のコンデンサの一方の端子と前記所定の電位の接続を行わせている間、前記第２の接続手段に接続を行わせ、前記第１の接続手段に前記第１のコンデンサの一方の端子と前記第２の入力電源の接続を行わせ、前記第２の接続手段に接続を停止させ、かつ、前記第３の接続手段に接続を行わせている間、前記第４の接続手段に接続を停止させ、前記第１の接続手段に前記第１のコンデンサの一方の端子と前記第２の入力電源の接続を行わせ、前記第２の接続手段に接続を停止させ、かつ、前記第４の接続手段に接続を行わせている間、前記第３の接続手段に接続を停止させる。
【発明の効果】
【００２９】
以上のように、本発明の一側面によれば、電源を生成することができる。
【００３０】
また、本発明の一側面によれば、複数の電源を生成する場合において、回路の規模と製造コストを削減することができる。
【発明を実施するための最良の形態】
【００３１】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００３２】
本発明の一側面の電源装置は、
第１の入力電源(例えば、図２の電源３１)を用いて電荷を蓄積する第１のコンデンサ(例えば、図２のコンデンサ２１)と、
第２の入力電源(例えば、図２の電源３１)の電圧と前記第１のコンデンサに蓄積された電荷による電圧とを用いて、第１の出力電源を生成する第１の生成手段(例えば、図２のレギュレータ６１)と、
前記第２の入力電源の電圧と前記第１のコンデンサに蓄積された電荷による電圧とを用いて、第２の出力電源を生成する第２の生成手段(例えば、図２のレギュレータ６１)と、
前記第１のコンデンサの一方の端子と、前記第２の入力電源または所定の電位を接続する第１の接続手段(例えば、図２のスイッチ４１)と、
前記第１のコンデンサの他方の端子と、前記第１の入力電源を接続する第２の接続手段(例えば、図２のスイッチ４２)と、
前記第１のコンデンサの他方の端子と、前記第１の生成手段を接続する第３の接続手段(例えば、図２のスイッチ４３)と、
前記第１のコンデンサの他方の端子と、前記第２の生成手段を接続する第４の接続手段(例えば、図２のスイッチ９３)と、
前記第１の接続手段乃至第４の接続手段を制御する制御手段（例えば、制御部９２）と
を備え、
前記制御手段は、前記第１の接続手段に前記第１のコンデンサの一方の端子と前記所定の電位の接続を行わせている間、前記第２の接続手段に接続を行わせ、前記第１の接続手段に前記第１のコンデンサの一方の端子と前記第２の入力電源の接続を行わせ、前記第２の接続手段に接続を停止させ、かつ、前記第３の接続手段に接続を行わせている間、前記第４の接続手段に接続を停止させ、前記第１の接続手段に前記第１のコンデンサの一方の端子と前記第２の入力電源の接続を行わせ、前記第２の接続手段に接続を停止させ、かつ、前記第４の接続手段に接続を行わせている間、前記第３の接続手段に接続を停止させる。
【００３３】
本発明の一側面の電源装置は、
前記第１のコンデンサに蓄積された電荷による電圧を検出する検出手段(例えば、図２の検出部９４)
をさらに備え、
前記制御手段は、検出された前記電圧が基準値以上である場合、前記第３の接続手段と前記第４の接続手段に接続を停止させる。
【００３４】
本発明の一側面の電源装置は、
前記第１の生成手段により生成された第１の出力電源の電圧を検出する第１の検出手段(例えば、図５の検出部１１１)と、
前記第２の生成手段により生成された第２の出力電源の電圧を検出する第２の検出手段(例えば、図５の検出部１１２)と
をさらに備え、
前記制御手段は、検出された第１の出力電源の電圧が第１の基準値以上である場合、前記３の接続手段に接続を停止させ、検出された第２の出力電源の電圧が第２の基準値以上である場合、前記第４の接続手段に接続を停止させる。
【００３５】
本発明の一側面の電源装置は、
前記第１の生成手段は、第２のコンデンサ（例えば、図６のコンデンサ２３）により構成され、
前記第２の生成手段は、第３のコンデンサ(例えば、図６のコンデンサ２６)により構成され、
前記第２のコンデンサは、前記第２の入力電源の電圧と前記第１のコンデンサに蓄積された電荷による電圧とを用いて、電荷を蓄積することにより前記第１の出力電源を生成し、
前記第３のコンデンサは、前記第２の入力電源の電圧と前記第１のコンデンサに蓄積された電荷による電圧とを用いて、電荷を蓄積することにより前記第２の出力電源を生成する。
【００３６】
以下、本発明を適用した具体的な実施の形態について、図面を参照しながら詳細に説明する。
【００３７】
図２は、本発明を適用した昇圧回路の第１の実施の形態の構成例を示す図である。
【００３８】
図２の昇圧回路８０は、IC８１、並びに、コンデンサ２１乃至２４，２６、および２７により構成される。また、IC８１は、電源３１および３２、スイッチ４１乃至４５、および９３、端子５１乃至５６，５９、および６０、レギュレータ６１および６２、制御部９２、並びに、検出部９１および９４により構成される。
【００３９】
昇圧回路８０は、電圧がVDDである電源３１および３２から、電圧が2VDD以上3VDD以下(例えば、2.5VDD)である出力電源と、電圧がVDD以上2VDD以下(例えば、1.5VDD)である出力電源を生成する。なお、図２において、図１と同一のものには同一の符号を付してあり、説明は繰り返しになるので省略する。
【００４０】
検出部９１は、レギュレータ６１の入力端子に接続され、その入力端子の電圧を検出する。検出部９１は、レギュレータ６１の入力端子の電圧が基準値(例えば、3VDD)以上であるかどうかを判定し、その判定結果に応じて昇圧動作の停止の有無を表す停止信号を制御部９２に供給する。
【００４１】
制御部９２は、スイッチ４１乃至４５、および９３を制御する。また、制御部９２は、検出部９１から供給される停止信号に応じて、スイッチ４１乃至４５を制御する。さらに、制御部９２は、検出部９４から供給される停止信号に応じてスイッチ９３を制御する。
【００４２】
スイッチ９３は、端子５２を介してコンデンサ２１に接続される。スイッチ９３は、コンデンサ２１に接続される端子５２を、レギュレータ６２の入力端子と端子５９に接続する。
【００４３】
このように、スイッチ９３が端子５２に接続されるので、制御部９２がスイッチ４３と９３のうち一方をオンにしている間に他方をオフにすることにより、コンデンサ２１、電源３１、スイッチ４１および４２、並びに端子５１および５２を、電圧がVO1である出力電源の生成と、電圧がVO2である出力電源の生成において共用することができる。従って、図２の昇圧回路８０では、図１の電源３３、コンデンサ２５、スイッチ４６および４７、並びに端子５７および５８が不要となる。
【００４４】
その結果、IC８１に設けられる端子の数とスイッチの数が削減されるので、IC８１の規模を削減することができる。また、IC８１の外部に設けられるコンデンサの数が削減されるので、昇圧回路８０の部品点数を削減することができる。従って、昇圧回路８０の規模を削減することができる。
【００４５】
また、IC８１に設けられる端子の数とスイッチの数が削減されるので、IC８１の製造コストを削減することができる。さらに、IC８１の外部に設けられるコンデンサの数が削減されるので、そのコンデンサに要するコストを削減することができる。従って、昇圧回路８０の製造コストを削減することができる。
【００４６】
検出部９４は、レギュレータ６２の入力端子に接続され、その入力端子の電圧を検出する。検出部９４は、レギュレータ６２の入力端子の電圧が基準値(例えば、2VDD)以上であるかどうかを判定し、その判定結果に応じて停止信号を制御部９２に供給する。
【００４７】
次に、図３を参照して、図２の昇圧回路８０の動作タイミングについて説明する。
【００４８】
なお、図３の例では、電圧VO1は7Vであり、電圧VO2は4Vであり、電圧VDDは3Vである。また、図３において、横軸は時間を表している。さらに、図３のＡ乃至Ｆにおいては、縦軸は電圧を表し、図３のＧとＨにおいては、縦軸はスイッチのオンまたはオフを表し、図３のＩとＪにおいては、縦軸は信号の状態を表す。このことは、後述する図４においても同様である。
【００４９】
図３のＡは、端子５１の電圧を示しており、図３のＢは、端子５２の電圧を示している。また、図３のＣは、端子５３の電圧を示しており、図３のＤは、端子５４の電圧を示している。図３のＥは、端子５５と５６の電圧を示しており、図３のＦは、端子５９と６０の電圧を示している。図３のＧは、スイッチ４３の状態を示しており、図３のＨは、スイッチ９３の状態を示している。図３のＩは、検出部９１から出力される停止信号の状態を示しており、図３のＪは、検出部９４から出力される停止信号の状態を示している。このことは、後述する図４においても同様である。
【００５０】
なお、以下において、時刻０からｔ1までの間、時刻ｔ1からｔ2までの間、時刻ｔ2からｔ3までの間、時刻ｔ3からｔ4までの間、時刻ｔ4からｔ5までの間、時刻ｔ5からｔ6までの間、時刻ｔ6からｔ7までの間、および時刻ｔ7からｔ8までの間は、同一の時間である。
【００５１】
図３において、スイッチ４１乃至４５、および９３は、接続の切り替え、または、オンとオフの切り替えを周期的に行う。
【００５２】
具体的には、まず最初に、時刻０から時刻ｔ1までの間、スイッチ４１が端子５１を接地し、スイッチ４２が、端子５２を電源３１に接続する。これにより、図３のＡに示すように、端子５１の電圧は0Vとなり、図３のＢに示すように、端子５２の電圧は電源３１の電圧VDDである3Vとなる。このとき、コンデンサ２１には電源３１を用いて電荷が蓄積される。
【００５３】
また、時刻０から時刻ｔ1までの間、図３のＧに示すように、スイッチ４３はオフにされ、スイッチ４４はオンにされる。即ち、端子５２はスイッチ４４と端子５３に接続されず、端子５３は接地される。従って、図３のＣに示すように、端子５３の電圧は0Vとなる。
【００５４】
さらに、時刻０から時刻ｔ1までの間、スイッチ４５は端子５４を電源３２に接続する。これにより、図３のＤに示すように、端子５４の電圧は3Vとなり、図３のＥに示すように、端子５５と５６の電圧は0Vとなる。なお、図３のＥにおいて、実線は端子５５の電圧を示し、点線は端子５６の電圧を示している。
【００５５】
また、上述したように、時刻０から時刻ｔ1までの間、レギュレータ６１の入力端子に接続されている端子５５の電圧は0Vであり、基準値(図３の例では、3VDDである9V)より小さいので、図３のＩに示すように、停止信号は、昇圧動作の停止の無を表すＬ（Low）の状態となっている。
【００５６】
一方、時刻０から時刻ｔ1までの間、図３のＨに示すように、スイッチ９３はオフにされる。即ち、端子５２が、端子５９とレギュレータ６２の入力端子に接続されない。従って、図３のＦに示すように、端子５９と６０の電圧は0Vとなる。なお、図３のＦにおいて、実線は端子５９の電圧を示し、点線は端子６０の電圧を示している。
【００５７】
上述したように、時刻０から時刻ｔ1までの間、レギュレータ６２の入力端子に接続されている端子５９の電圧は0Vであり、基準値(図３の例では、2VDDである6V)より小さいので、図３のＪに示すように、停止信号は、昇圧動作の停止の無を表すＬの状態となっている。
【００５８】
次に、時刻ｔ1から時刻ｔ2までの間、スイッチ４１が端子５１を電源３１に接続し、スイッチ４２はオフにされる。これにより、図３のＡに示すように、端子５１の電圧は3Vとなり、図３のＢに示すように、端子５２の電圧は、電源３１の電圧である3Vとコンデンサ２１に蓄積された電荷による電圧である3Vを加算した値である6Vとなる。
【００５９】
また、時刻ｔ1から時刻ｔ2までの間、図３のＧに示すように、スイッチ４３はオフにされたままである。さらに、時刻ｔ1から時刻ｔ2までの間、スイッチ４４はオンにされたままであり、図３のＣに示すように、端子５３の電圧は0Vのままとなる。
【００６０】
さらに、時刻ｔ1から時刻ｔ2までの間、スイッチ４５は、端子５４を電源３２に接続したままである。これにより、図３のＤに示すように、端子５４の電圧は3Vのままとなり、図３のＥに示すように、端子５５と５６の電圧は0Vのままとなる。従って、停止信号は、図３のＩに示すようにＬの状態のままとなっている。
【００６１】
一方、時刻ｔ1から時刻ｔ2までの間、図３のＨに示すように、スイッチ９３はオンにされる。即ち、端子５２が、端子５９とレギュレータ６２の入力端子に接続され、コンデンサ２６には、端子５２の電圧を用いて電荷が蓄積される。従って、図３のＦに示すように、端子５９の電圧はＶ20V（図３の例では、4＜Ｖ20＜6）となる。
【００６２】
また、時刻ｔ1から時刻ｔ2までの間、レギュレータ６２は、入力端子の電圧であるＶ20Vを用いて、電圧が4Vの出力電源を生成し、出力端子から端子６０を介して出力する。その結果、図３のＦに示すように、時刻ｔ1から時刻ｔ2までの間、端子６０の電圧は4Vとなる。
【００６３】
なお、このとき、出力電源の電圧4Vを用いて、コンデンサ２７に電荷が蓄積される。また、上述したように、レギュレータ６２の入力端子に接続されている端子５９の電圧はＶ20Vであり、基準値6Vより小さいので、図３のＪに示すように、停止信号はＬの状態のままとなっている。
【００６４】
その後、時刻ｔ2から時刻ｔ3までの間、昇圧回路８０は、時刻０から時刻ｔ1までの間と同様の動作を行う。
【００６５】
次に、時刻ｔ3から時刻ｔ4までの間、時刻ｔ1から時刻ｔ2までの間と同様に、スイッチ４１が端子５１を電源３１に接続し、スイッチ４２はオフにされる。これにより、図３のＡに示すように、端子５１の電圧は3Vとなり、図３のＢに示すように、端子５２の電圧は6Vとなる。
【００６６】
また、時刻ｔ3から時刻ｔ4までの間、図３Ｇに示すように、スイッチ４３はオンにされ、スイッチ４４はオフにされる。即ち、端子５２はスイッチ４４と端子５３に接続される。従って、図３のＣに示すように、端子５３の電圧は端子５２の電圧と同一の6Vとなる。
【００６７】
さらに、時刻ｔ3から時刻ｔ4までの間、スイッチ４５は、端子５４を端子５５とレギュレータ６１の入力端子に接続する。これにより、端子５４の電圧は、図３Ｄに示すように、端子５３の電圧である6Vとコンデンサ２２に蓄積された電荷による電圧である3Vを加算した値である9Vとなる。このとき、コンデンサ２３には端子５４の電圧を用いて電荷が蓄積される。従って、図３のＥに示すように、端子５５の電圧はＶ10V（図３の例では、0＜Ｖ10＜7）となる。
【００６８】
また、時刻ｔ3から時刻ｔ4までの間、レギュレータ６１は、入力端子の電圧であるＶ10Vを、そのまま出力電源の電圧として、出力電源を出力端子から端子５６を介して出力する。その結果、図３のＥに示すように、時刻ｔ3から時刻ｔ4までの間、端子５６の電圧はＶ10Vとなる。なお、このとき、出力電源の電圧Ｖ10Vを用いて、コンデンサ２４に電荷が蓄積される。
【００６９】
さらに、上述したように、時刻ｔ3から時刻ｔ4までの間、レギュレータ６１の入力端子に接続されている端子５５の電圧はＶ10Vであり、基準値9Vより小さいので、図３のＩに示すように、停止信号はＬの状態のままとなっている。
【００７０】
一方、時刻ｔ3から時刻ｔ4までの間、図３のＨに示すように、スイッチ９３はオフにされる。即ち、端子５２が、端子５９とレギュレータ６２の入力端子に接続されない。従って、図３のＦに示すように、端子５９の電圧はＶ20Vのままであり、レギュレータ６２は、電圧が4Vである出力電源を出力端子から端子６０を介して出力する。また、上述したように、時刻ｔ3から時刻ｔ4までの間、レギュレータ６２の入力端子に接続されている端子５９の電圧はＶ20Vのままであり、基準値6Vより小さいので、図３のＪに示すように、停止信号はＬの状態のままとなっている。
【００７１】
その後、時刻ｔ4から時刻ｔ5までの間、昇圧回路８０は、時刻０から時刻ｔ1までの間や時刻ｔ2から時刻ｔ3までの間と同様に動作を行う。
【００７２】
次に、時刻ｔ5から時刻ｔ6までの間、昇圧回路８０は、時刻ｔ1からｔ2までの間と同様に動作を行う。その結果、コンデンサ２６には、端子５２の電圧である6Vを用いて電荷が再度蓄積され、図３のＦに示すように、端子５９の電圧は6Vとなる。従って、レギュレータ６２は、入力端子の電圧である6Vを用いて、電圧が4Vである出力電源を生成し、出力端子から端子６０を介して出力する。その結果、図３のＦに示すように、時刻ｔ5から時刻ｔ6までの間、端子６０の電圧は4Vのままとなる。
【００７３】
また、上述したように、時刻ｔ5から時刻ｔ6までの間、レギュレータ６２の入力端子に接続されている端子５９の電圧は基準値である6V以上となるので、図３のＪに示すように、停止信号は、昇圧動作の停止の有を表すＨ(High)の状態となる。この場合、制御部９２は、検出部９４からの停止信号がＬの状態になるまで、スイッチ９３をオフにする。
【００７４】
その後、時刻ｔ6から時刻ｔ7までの間、昇圧回路８０は、時刻０から時刻ｔ1までの間と同様に動作を行う。
【００７５】
次に、時刻ｔ7から時刻ｔ8までの間、昇圧回路８０は、時刻ｔ3から時刻ｔ4までの間と同様に動作を行う、その結果、コンデンサ２３には、端子５４の電圧である9Vを用いて電荷が再度蓄積され、図３のＥに示すように、端子５５の電圧は9Vとなる。従って、レギュレータ６１は、入力端子の電圧である9Vを用いて、電圧が7Vの出力電源を生成し、出力端子から端子５６を介して出力する。その結果、図３のＥに示すように、時刻ｔ7から時刻ｔ8までの間、端子５６の電圧は7Vとなる。
【００７６】
また、上述したように、時刻ｔ7から時刻ｔ8までの間、レギュレータ６１の入力端子に接続されている端子５５の電圧は基準値9V以上であるので、図３のＩに示すように、停止信号は、昇圧動作の停止の有を表すＨの状態となる。この場合、制御部９２は、検出部８４からの停止信号がＬの状態になるまで、スイッチ４３をオフにし、スイッチ４４に端子５３を接地させ、スイッチ４５に端子５４と電源３２を接続させる。
【００７７】
以上のように、図３の例では、昇圧回路８０は、時刻０から時刻ｔ4までの間と、時刻ｔ4から時刻ｔ8までの間に、コンデンサ２１乃至２４、電源３１および３２、スイッチ４１乃至４５、端子５１乃至５６、検出部９１、制御部９２、並びにレギュレータ６１による電圧が7Vの出力電源の生成と、コンデンサ２１，２６、および２７、電源３１、スイッチ４１，４２、および９３、端子５１，５２，５９、および６０、レギュレータ６２、制御部９２、並びに検出部９４による電圧が4Vの出力電源の生成を交互に行うので、コンデンサ２３と２６における蓄積の周期は、スイッチ４２のオフの周期の２倍となる。
【００７８】
次に、図４を参照して、図２の昇圧回路８０の他の動作タイミングについて説明する。
【００７９】
なお、図４において、時刻ｔ1からｔ11までの間、時刻ｔ11からｔ2までの間、時刻ｔ3からｔ12までの間、時刻ｔ12からｔ4までの間、時刻ｔ5からｔ13までの間、時刻ｔ13からｔ6までの間、時刻ｔ7からｔ14までの間、および時刻ｔ14からｔ8までの間は、同一の時間である。
【００８０】
図４の例では、昇圧回路８０は、時刻０からｔ2までの間、時刻ｔ2からｔ4までの間、時刻ｔ4からｔ6までの間、および時刻ｔ6からｔ8までの間に、電圧が7Vの出力電源の生成と、電圧が4Vの出力電源の生成を交互に行う。
【００８１】
具体的には、まず最初に、時刻０から時刻ｔ1までの間、昇圧回路８０は、図３の時刻０から時刻ｔ1まの間と同様の動作を行うので、説明は省略する。
【００８２】
次に、時刻ｔ1から時刻ｔ２までの間、図３の時刻ｔ1から時刻ｔ2までの間と同様に、スイッチ４１が端子５１を電源３１に接続し、スイッチ４２はオフにされる。これにより、図４のＡに示すように、端子５１の電圧は3Vとなり、図４のＢに示すように、端子５２の電圧は6Vとなる。
【００８３】
また、図４のＧに示すように、時刻ｔ1から時刻ｔ２までの間のうち、時刻ｔ1から時刻ｔ11（ｔ1＜ｔ11＜ｔ2）までの間、スイッチ４３はオフにされ、時刻ｔ11から時刻ｔ2までの間、スイッチ４３はオンにされる。さらに、時刻ｔ1から時刻ｔ11までの間、スイッチ４４はオンにされたままであり、時刻ｔ11から時刻ｔ2までの間、スイッチ４４はオフにされる。従って、図４のＣに示すように、時刻ｔ1から時刻ｔ11までの間、端子５３の電圧は0Vのままであり、時刻ｔ11から時刻ｔ2までの間、端子５３の電圧は、端子５２の電圧である6Vとなる。
【００８４】
時刻ｔ1から時刻ｔ2までの間のうち、時刻ｔ1から時刻ｔ11までの間、スイッチ４５は、端子５４を電源３２に接続したままであり、時刻ｔ11から時刻ｔ2までの間、スイッチ４５は、端子５４を端子５５とレギュレータ６１の入力端子に接続する。従って、図４のＤに示すように、時刻ｔ1から時刻ｔ11までの間、端子５４の電圧は3Vのままであり、時刻ｔ11から時刻ｔ2までの間、端子５４の電圧は9Vとなる。このとき、コンデンサ２３には端子５４の電圧を用いて電荷が蓄積される。
【００８５】
従って、図４のＥに示すように、時刻ｔ1から時刻ｔ11までの間、端子５５と５６の電圧は0Vのままとなり、時刻ｔ11から時刻ｔ2までの間、端子５５の電圧はＶ11V（図４の例では、0＜Ｖ11＜Ｖ12＜Ｖ13＜7）となる。
【００８６】
また、時刻ｔ11から時刻ｔ2までの間、レギュレータ６１は、入力端子の電圧であるＶ11Vを、そのまま出力電源の電圧として、出力電源を出力端子から端子５６を介して出力する。このとき、出力電源の電圧Ｖ11Vを用いて、コンデンサ２４に電荷が蓄積される。さらに、上述したように、時刻ｔ1から時刻ｔ2までの間、レギュレータ６１の入力端子に接続されている端子５５の電圧は0VまたはＶ10Vであり、基準値9Vより小さいので、図４のＩに示すように、停止信号はＬの状態のままとなっている。
【００８７】
一方、図４のＨに示すように、時刻ｔ1から時刻ｔ2までの間のうち、時刻ｔ1から時刻ｔ11までの間、スイッチ９３はオンにされ、これにより、コンデンサ２６には端子５２の電圧を用いて電荷が蓄積され、時刻ｔ11から時刻ｔ2までの間、スイッチ９３はオフにされる。従って、時刻ｔ1から時刻ｔ2までの間、図４のＦに示すように、端子５９の電圧はＶ21V（図４の例では、０＜Ｖ21＜4）となる。
【００８８】
また、時刻ｔ1からｔ2までの間、レギュレータ６２は、入力端子の電圧であるＶ21Vをそのまま出力電源の電圧として、出力電源を出力端子から端子６０を介して出力する。その結果、図４のＦに示すように、時刻ｔ1から時刻ｔ2までの間、端子６０の電圧はＶ21Vとなる。なお、このとき、端子６０の電圧Ｖ21Vを用いて、コンデンサ２７に電荷が蓄積される。
【００８９】
上述したように、時刻ｔ1から時刻ｔ2までの間、レギュレータ６２の入力端子に接続されている端子５９の電圧は基準値(図４の例では6V)より小さいので、図４のＪに示すように、停止信号はＬの状態のままとなっている。
【００９０】
その後、時刻ｔ2から時刻ｔ3までの間、昇圧回路８０は、図３の時刻ｔ2から時刻ｔ3までの間と同様の動作を行う。
【００９１】
次に、時刻ｔ3からｔ4までの間、昇圧回路８０は、図４の時刻ｔ1からｔ2までの間と同様に動作を行う。その結果、コンデンサ２３には、時刻ｔ3からｔ4までの間のうち、時刻ｔ12（ｔ3＜ｔ12＜ｔ4）からｔ4までの間、端子５４の電圧である9Vを用いて電荷が再度蓄積され、図４のＥに示すように、端子５５と５６の電圧はＶ12V（Ｖ11＜Ｖ12＜Ｖ13＜7）となる。このとき、レギュレータ６１の入力端子に接続されている端子５５の電圧は基準値である9Vより小さいので、図４のＩに示すように、停止信号はＬの状態のままである。
【００９２】
一方、コンデンサ２６には、時刻ｔ3からｔ4までの間のうち、時刻ｔ3からｔ12までの間、端子５２の電圧である3Vを用いて電荷が再度蓄積される。これにより、時刻ｔ3からｔ4までの間、図４のＦに示すように、端子５９の電圧はＶ22V（4＜Ｖ22＜6）となる。従って、レギュレータ６２は、入力端子の電圧であるＶ22Vを用いて、電圧が4Vの出力電源を生成し、出力端子から端子６０を介して出力する。その結果、時刻ｔ3からｔ4までの間、図４のＦに示すように、端子６０の電圧は4Vとなる。
【００９３】
また、このとき、レギュレータ６２の入力端子に接続されている端子５９の電圧は基準値である6Vより小さいので、図４のＪに示すように、停止信号はＬの状態のままとなる。
【００９４】
その後、時刻ｔ4から時刻ｔ5までの間、昇圧回路８０は、図３の時刻ｔ4から時刻ｔ5までの間と同様の動作を行う。
【００９５】
次に、時刻ｔ5からｔ6までの間、昇圧回路８０は、図４の時刻ｔ1からｔ2までの間と同様に動作を行う。その結果、コンデンサ２３には、時刻ｔ5からｔ6までの間のうち、時刻ｔ13（ｔ5＜ｔ13＜ｔ6）からｔ6までの間、端子５４の電圧である9Vを用いて電荷が再度蓄積され、図４のＥに示すように、端子５５と５６の電圧はＶ13V（Ｖ12＜Ｖ13＜7）となる。このとき、レギュレータ６１の入力端子に接続されている端子５５の電圧は基準値である9Vより小さいので、図４のＩに示すように、停止信号はＬの状態のままである。
【００９６】
一方、コンデンサ２６には、時刻ｔ5からｔ6までの間のうち、時刻ｔ5からｔ13までの間、端子５２の電圧である3Vを用いて電荷が蓄積され、時刻ｔ5からｔ6までの間、図４のＦに示すように、端子５９の電圧は6Vとなる。従って、レギュレータ６２は、入力端子の電圧である6Vを用いて、電圧が4Vの出力電源を生成し、出力端子から端子６０を介して出力する。その結果、時刻ｔ5からｔ6までの間、図４のＦに示すように、端子６０の電圧は4Vのままとなる。
【００９７】
また、このとき、レギュレータ６２の入力端子に接続されている端子５９の電圧は基準値である6V以上であるので、図４のＪに示すように、停止信号はＨの状態となる。
【００９８】
その後、時刻ｔ6から時刻ｔ7までの間、昇圧回路８０は、図３の時刻ｔ6から時刻ｔ7までの間と同様の動作を行う。
【００９９】
次に、時刻ｔ7からｔ8までの間、昇圧回路８０は、図４の時刻ｔ1からｔ2までの間と同様に動作を行うが、検出部９４から制御部９２に供給される停止信号がＨの状態であるので、スイッチ９３はオンにされない。
【０１００】
即ち、コンデンサ２３には、時刻ｔ7からｔ8までの間のうち、時刻ｔ14（ｔ7＜ｔ14＜ｔ8）からｔ8までの間、端子５４の電圧である9Vを用いて電荷が再度蓄積され、図４のＥに示すように、端子５５の電圧は9Vとなる。従って、時刻ｔ7からｔ8までの間、レギュレータ６１は、入力端子の電圧である9Vを用いて、電圧が7Vの出力電源を生成し、出力端子から端子５６を介して出力する。このとき、レギュレータ６１の入力端子に接続されている端子５５の電圧は基準値である9V以上であるので、図４のＩに示すように、停止信号はＨの状態となる。
【０１０１】
また、コンデンサ２６には、時刻ｔ7からｔ8までの間、端子５２の電圧である3Vを用いて電荷が蓄積されない。従って、図４のＦに示すように、端子５９の電圧は6Vのままであり、レギュレータ６２は、入力端子の電圧である6Vを用いて、電圧が4Vの出力電源を生成し、出力端子から端子６０を介して出力する。
【０１０２】
このとき、レギュレータ６２の入力端子に接続されている端子５９の電圧は基準値である6V以上であるので、図４のＪに示すように、停止信号はＨの状態のままとなる。
【０１０３】
以上のように、図４の例では、昇圧回路８０は、時刻０からｔ2までの間、時刻ｔ2からｔ4までの間、時刻ｔ4からｔ6までの間、および時刻ｔ6からｔ8までの間に、電圧が7Vの出力電源の生成と、電圧が4Vの出力電源の生成を交互に行うので、コンデンサ２３と２６における蓄積の周期は、スイッチ４２のオフの周期と同一となる。即ち、図４の例では、コンデンサ２３と２６における蓄積の周期は、図３の例における蓄積の周期の1/2となる。
【０１０４】
従って、昇圧回路８０は、図４に示した動作タイミングで動作を行うことにより、図３の場合に比べて、端子５５と５９におけるリップルを小さくすることができる。
【０１０５】
なお、上述した説明では、検出部９１における基準値は3VDDであるものとしたが、検出部９１における基準値はVO1以上の値であれば、これに限定されない。また、上述した説明では、検出部９４における基準値は2VDDであるものとしたが、検出部９４における基準値はVO2以上の値であれば、これに限定されない。
【０１０６】
図５は、本発明を適用した昇圧回路の第２の実施の形態の構成例を示す図である。
【０１０７】
図５の昇圧回路１００は、IC１０１、並びに、コンデンサ２１乃至２４，２６、および２７により構成される。また、IC１０１は、電源３１および３２、スイッチ４１乃至４５、および９３、端子５１乃至５６，５９、および６０、レギュレータ６１および６２、制御部９２、並びに、検出部１１１および１１２により構成される。
【０１０８】
昇圧回路１００では、検出部１１１がレギュレータ６１の出力端子に接続され、検出部１１２がレギュレータ６２の出力端子に接続されている。なお、図５において、図１や図２と同一のものには同一の符号を付してあり、説明は繰り返しになるので省略する。
【０１０９】
検出部１１１は、レギュレータ６１の出力端子に接続され、その出力端子の電圧を検出する。検出部１１１は、レギュレータ６１の出力端子の電圧が基準値（例えば、VO1）以上であるかどうかを判定し、その判定結果に応じて昇圧動作の停止の有無を表す停止信号を制御部９２に供給する。
【０１１０】
検出部１１２は、レギュレータ６２の出力端子に接続され、その出力端子の電圧を検出する。検出部１１２は、レギュレータ６２の出力端子の電圧が基準値(例えば、VO2)以上であるかどうかを判定し、その判定結果に応じて停止信号を制御部９２に供給する。
【０１１１】
図６は、本発明を適用した昇圧回路の第３の実施の形態の構成例を示す図である。
【０１１２】
図６の昇圧回路１２０は、IC１２１、並びに、コンデンサ２１乃至２３、および２６により構成される。また、IC１２１は、電源３１および３２、スイッチ４１乃至４５、および９３、端子５１乃至５５、および５９、制御部９２、並びに、検出部１３１および１３２により構成される。
【０１１３】
昇圧回路１２０では、端子５５と５９の電圧がそのまま出力電源の電圧とされ、端子５５と５９から出力電源が出力される。なお、図６において、図１や図２と同一のものには同一の符号を付してあり、説明は繰り返しになるので省略する。
【０１１４】
検出部１３１は、端子５５に接続され、端子５５の電圧を検出する。検出部１３１は、端子５５の出力端子の電圧が基準値（例えば、VO1）以上であるかどうかを判定し、その判定結果に応じて昇圧動作の停止の有無を表す停止信号を制御部９２に供給する。
【０１１５】
検出部１３２は、端子５９に接続され、その端子５９の電圧を検出する。検出部１３２は、端子５９の電圧が基準値(例えば、VO2)以上であるかどうかを判定し、その判定結果に応じて停止信号を制御部９２に供給する。
【０１１６】
以上のように、図６の昇圧回路１２０は、端子５５と５９の電圧をそのまま出力電源の電圧とするので、図２の昇圧回路８０や図５の昇圧回路１００に比べて、コンデンサ２４および２７、端子５６および６０、並びにレギュレータ６１および６２を削減することができる。その結果、回路の規模と製造コストをさらに削減することができる。
【０１１７】
また、昇圧回路１２０では、制御部９２が、図４に示したように、スイッチ４３と９３を制御することにより、図３に示した制御を行う場合に比べて、端子５５と５９から出力される出力電源のリップルを削減することができる。さらに、昇圧回路１２０において、コンデンサ２２と２３の容量を小さくすることにより、リップルを削減することができる。
【０１１８】
なお、スイッチ４１と４２に接続される電源は、同一の電源であってもよいし、異なる電源であってもよい。
【０１１９】
また、本発明は、２つ以上の任意の出力電源を生成する電源装置に適用することができる。
【０１２０】
さらに、本発明の実施の形態は、上述した実施の形態に限定されるものではなく、本発明の要旨を逸脱しない範囲において種々の変更が可能である。
【図面の簡単な説明】
【０１２１】
【図１】従来の昇圧回路の構成の一例を示す図である。
【図２】本発明を適用した昇圧回路の第１の実施の形態の構成例を示す図である。
【図３】昇圧回路の動作タイミングを説明する図である。
【図４】昇圧回路の他の動作タイミングを説明する図である。
【図５】本発明を適用した昇圧回路の第２の実施の形態の構成例を示す図である。
【図６】本発明を適用した昇圧回路の第３の実施の形態の構成例を示す図である。
【符号の説明】
【０１２２】
２１  コンデンサ，  ３１  電源，  ４１乃至４３  スイッチ，  ６１，６２  レギュレータ，  ８０  昇圧回路，  ９１，９４  検出部，  ９２  制御部，  ９３  スイッチ，  １００  昇圧回路，  １１１，１１２  検出部，  １２０  昇圧回路，  １３１，１３２  検出部
【図１】
2008113518.tif 000003
【図２】
2008113518.tif 000004
【図３】
2008113518.tif 000005
【図４】
2008113518.tif 000006
【図５】
2008113518.tif 000007
【図６】
2008113518.tif 000008